(57)【要約】      （修正有）【課題】強固で耐久性に富む抗菌層を形成することで、長年にわたり抗菌作用を発揮し続けることができるとともに、金属光沢を放ち美観に優れた二重抗菌手摺を提供する。【解決手段】抗菌作用を有する手摺であって、ステンレス鋼の芯材と銅の表材とで構成され、表材が芯材の一部のみを覆い、手摺が水平に設置されているときは、表材１６が手摺の軸方向に沿って帯状に貼設されており、手摺が垂直又は傾斜して設置されているときは、表材１７が前記手摺の軸を横切る方向に帯状に貼設されており、さらに、表材の一部又は全部が、銅メッキであることを特徴とする。【選択図】図３
0003189772.tif 000002
【実用新案登録請求の範囲】
【請求項１】
抗菌作用を有する手摺であって、
ステンレス鋼の芯材と銅の表材とで構成されたことを特徴とする二重抗菌手摺。
【請求項２】
前記表材が、前記芯材の一部のみを覆っていることを特徴とする請求項１に記載の二重抗菌手摺。
【請求項３】
前記表材が、前記芯材に帯状に貼設されていることを特徴とする請求項２に記載の二重抗菌手摺。
【請求項４】
前記手摺が水平に設置されているときは、前記表材が前記手摺の軸方向に沿って帯状に貼設されており、
前記手摺が垂直又は傾斜して設置されているときは、前記表材が前記手摺の軸を横切る方向に帯状に貼設されていることを特徴とする請求項３に記載の二重抗菌手摺。
【請求項５】
前記表材の一部又は全部が、銅メッキであることを特徴とする請求項１ないし４のいずれか１項に記載の二重抗菌手摺。
【請求項６】
前記ステンレス鋼が、銀又は銅を含有するステンレス鋼であることを特徴とする請求項１ないし５のいずれか１項に記載の二重抗菌手摺。
【考案の詳細な説明】
【技術分野】
【０００１】
本考案は、表面に付着した菌の増殖を抑える抗菌作用を有する手摺に関し、詳しくは、ステンレス鋼の芯材と銅の表材とで構成される二重抗菌手摺に関する。
【背景技術】
【０００２】
従来、手摺に抗菌性を保持させることを目的として、実用新案登録第３０００７６８号公報に、手摺材及び取付金具の表面に抗菌塗装膜を形成した、手摺構造が開示されている。
【先行技術文献】
【特許文献】
【０００３】
【特許文献１】実用新案登録第３０００７６８号公報
【考案の概要】
【考案が解決しようとする課題】
【０００４】
しかし、特許文献１に開示されている手摺構造では、塗装剤の中に抗菌作用のある物質を含有させたものを、木材からなる棒状体に塗装することにより抗菌被膜を形成しており、係る場合、塗装面の経年変化による抗菌被膜の劣化や剥がれが発生する恐れがあるという課題があった。
【０００５】
本考案は、上記の点に鑑みなされたもので、強固で耐久性に富む抗菌層を形成することで、長年にわたり抗菌作用を発揮し続けることができるとともに、金属光沢を放ち美観に優れた二重抗菌手摺を提供することを目的とする。
【課題を解決するための手段】
【０００６】
本考案の二重抗菌手摺は、
抗菌作用を有する手摺であって、
ステンレス鋼の芯材と銅の表材とで構成されたことを特徴とする。
【０００７】
本考案の二重抗菌手摺によれば、ステンレス鋼の芯材と銅の表材とで構成されているため、塗装により構成された抗菌被膜に比べ、耐久性と強度に優れるとともに、金属光沢を放つことができ、美観に優れたものとすることができる。また、芯材がステンレス鋼であるため、表材が剥離等した場合においても、腐食が発生しづらい。
【０００８】
本考案の二重抗菌手摺の好ましい例は、
前記表材が、前記芯材の一部のみを覆っていることを特徴とする。
【０００９】
本考案の二重抗菌手摺の好ましい例によれば、表材が、芯材の一部のみを覆っているため、表材の使用量の節約を図ることができるとともに、芯材と表材とで凹凸を形成することができ、手摺を握った手が滑りにくくなる、滑り止めの効果を発揮することができる。
【００１０】
本考案の二重抗菌手摺の好ましい例は、
前記表材が、前記芯材に帯状に貼設されていることを特徴とする。
【００１１】
本考案の二重抗菌手摺の好ましい例によれば、表材が、芯材に帯状に貼設されているため、表材の貼設作業が比較的し易くなるとともに、芯材のステンレス鋼の金属光沢と表材の銅の金属光沢とがツートーンカラーをなし、美観に優れた二重抗菌手摺とすることができる。
【００１２】
本考案の二重抗菌手摺の好ましい例は、
前記手摺が水平に設置されているときは、前記表材が前記手摺の軸方向に沿って帯状に貼設されており、
前記手摺が垂直又は傾斜して設置されているときは、前記表材が前記手摺の軸を横切る方向に帯状に貼設されていることを特徴とする。
【００１３】
本考案の二重抗菌手摺の好ましい例によれば、手摺が水平に設置されているときは、表材が前記手摺の軸方向に沿って帯状に貼設されており、また、手摺が垂直又は傾斜して設置されているときは、表材が手摺の軸を横切る方向に帯状に貼設されているため、手摺を握った手にかける力の方向と略直交する方向に表材の縁があり、当該縁により高い滑り止め効果を発揮することができる。
【００１４】
本考案の二重抗菌手摺の好ましい例は、
前記表材の一部又は全部が、銅メッキであることを特徴とする。
【００１５】
本考案の二重抗菌手摺の好ましい例によれば、表材の一部又は全部が、銅メッキであるため、化学的な方法で容易に表材を形成することができる。また、地金がステンレス鋼であるため、表面の銅メッキに傷等が生じた場合においても、錆が発生しづらく、当初の外観と抗菌作用を永く保つことができる。
【００１６】
本考案の二重抗菌手摺の好ましい例は、
前記ステンレス鋼が、銀又は銅を含有するステンレス鋼であることを特徴とする。
【００１７】
本考案の二重抗菌手摺の好ましい例によれば、ステンレス鋼が銀又は銅を含有するため、さらなる抗菌作用を有することができる。
【考案の効果】
【００１８】
以上述べたように、本考案によれば、強固で耐久性に富む抗菌層を形成することで、長年にわたり抗菌作用を発揮し続けることができるとともに、金属光沢を放ち美観に優れた二重抗菌手摺を提供することができる。
【図面の簡単な説明】
【００１９】
【図１】本考案の一実施形態に係る二重抗菌手摺を示す図である（第１実施形態）。
【図２】図１の二重抗菌手摺の断面図である。
【図３】第２実施形態の二重抗菌手摺を示す図である。
【図４】表材の例を示す図である。
【考案を実施するための形態】
【００２０】
以下、本考案の二重抗菌手摺の実施の形態について、添付図面を参照して詳細に説明する。
【００２１】
［第１実施形態］
図１は本考案の一実施形態に係る二重抗菌手摺１を示す図、図２は二重抗菌手摺１の断面図である。
【００２２】
図１に示すように、本考案の二重抗菌手摺１は、手摺本体部１０と、脚部３０とを備える。
【００２３】
手摺本体部１０は、その全体が略Ｌ字状をなす管から構成され、水平に設置された水平管部１１と、垂直に設置された垂直管部１２と、前記水平管部１１と前記垂直管部１２とを接続する曲管部１３とを備える。また、手摺本体部１０は、本実施形態の略Ｌ字状のみならず、水平管部のみで構成されたもの、垂直管部のみで構成されたもの、斜めに傾斜されたもの、円弧状に曲げられたもの、これらを組み合わせたもの等のバリエーションを揃えることができる。
【００２４】
脚部３０は、手摺本体部１０を建築物の壁面等に固定するためのもので、立上げ部３１，３２と、鍔部３３と、カバー３４とを備える。立上げ部３１，３２は、手摺本体部と壁面との隙間を設けるためのものであり、手摺本体部１０の末端に設けられる立上げ部３１では、曲管部１３同様に手摺本体部と同径の管材を９０度曲げた態様をなし、壁面の方向に向かって、手摺本体部と溶接、ネジ止め等の公知の方法で接合される。また、手摺本体部１０の途中に設けられる立上げ部３２は、直線状の管からなり、手摺本体部１０と接合される箇所には手摺本体部１０の径に合うよう座繰り加工がなされ、手摺本体部１０の軸と直交かつ壁面の方向に、溶接、ネジ止め等の公知の方法で接合される。鍔部３３は、立上げ部３１，３２の壁面側の端部に設けられた円盤状の板で、壁面等に図示しないネジ等で固定される。カバー３４は、鍔部３３より一回り大きく構成され、その中央に立上げ部３１，３２が貫通する孔が設けられた皿状のもので、鍔部３３を隠す作用を有する。
【００２５】
また、図２に示すように、本実施形態の二重抗菌手摺１は、手摺本体部１０、立上げ部３１，３２を構成する管材を、ステンレス鋼の芯材１４と、銅の表材１５である銅メッキの被膜とで構成することができる。また、図示しないが、鍔部３３、カバー３４においても、ステンレス鋼の芯材と、この芯材に施された銅メッキの被膜とで構成することができる。なお、本図においては、表材１５である銅メッキの被膜をわかりやすくするため、実際より厚く表わしている。また、銅メッキの被膜の代わりに、銅の板から構成された表材を、手摺本体部１０及び立上げ部３１，３２の全部又は一部に貼設することもできる。
【００２６】
なお、本実施形態の二重抗菌手摺１に採用されるステンレス鋼は、ＳＵＳ３０４等の通常のステンレス鋼に加え、銅や銀等の抗菌作用が強い金属を含有させたものも採用することができる。
【００２７】
［第２実施形態］
次に、本考案の二重抗菌手摺の他の実施形態について説明する。図３は本考案の第２実施形態に係る二重抗菌手摺２を示す図、図４は本実施形態において表材の例を示す図である。なお、第１実施形態と同様の箇所は、図面に同じ符号を付してその説明を省略する。
【００２８】
図３に示すように、本実施形態の二重抗菌手摺２は、手摺本体部１０と、脚部３０とを備える。
【００２９】
手摺本体部１０は、第１実施形態同様に、水平管部１１と、垂直管部１２と、曲管部１３とを備えるが、水平管部１１と垂直管部１２の一部に、帯状の銅の板で構成された表材１６，１７が貼設されている。このうち、水平管部１１に貼設された表材１６は、水平管部１１の軸方向に沿って帯状に貼設されており、垂直管部１２に貼設された表材１７は、垂直管部１２の軸を横切る方向に、輪状に貼設されている。また、階段等の傾斜した場所に設置される手摺本体部にも、前記輪状にした表材１７を貼設することができる。また、図４（Ａ）（Ｂ）にも示すように、表材のその他の態様として、島状に点在させた表材１８、らせん状に巻かれた表材１９等も採用することができる。これらの帯状の表材により、手摺本体部１０の表面に凹凸が形成され滑り止めの効果を発揮する。なお、表材１６，１７，１８，１９を芯材１４に貼設する方法としては、溶接、接着剤、ネジ、リベット等の公知の方法が採用できる。また、手摺本体部の芯材も銅を用い、手摺本体部を銅のみで構成することもできる。
【００３０】
脚部３０は、第１実施形態と同様である。また、脚部３０にも銅の板で構成された表材１６，１７，１８，１９を貼設、又は銅メッキで構成された表材１５を被覆することができる。また、本実施形態の二重抗菌手摺２に採用されるステンレス鋼は、第１実施形態同様にＳＵＳ３０４等の通常のステンレス鋼に加え、銅や銀等の抗菌作用が強い金属を含有させたものも採用することができる。
【００３１】
以上、説明したように、本考案に係る二重抗菌手摺によれば、それぞれの構成品がステンレス鋼の芯材と前記芯材に被膜された銅メッキ、又はステンレス鋼の芯材と前記芯材に貼設された銅の表材とで構成されている。これにより、銅の持つ強力な抗菌作用が手摺全体に及び、手摺に雑菌等が増殖することがなく、衛生的に使用することができ、特に便器周り、洗面台周り、浴槽周り、病院内等の手摺に好適である。また、表面の抗菌被膜が銅板又は銅メッキで構成されているため、塗装等の被膜に比べ強度に優れるとともに、金属光沢を放ち美観に優れた手摺とすることができる。
【００３２】
また、ステンレス鋼の表面に銅メッキを施す構成では、表面の銅メッキに傷が入っても、地金がステンレス鋼のため腐食等することがなく、滑らかな表面を保つことができ、菌の繁殖場所となる手垢等の付着を防止でき、抗菌作用を保つことができる。また、銅メッキが剥がれた場合においても、銅メッキ層の厚さが、塗装により構成された抗菌被膜に比べて薄いため、当該部分に段差が殆ど発生せず、手触りが変化することが殆どない。
【００３３】
また、ステンレス鋼に銅板を貼設する構成では、銅による抗菌作用により菌の繁殖等を抑えることができるとともに、銅板により手摺の表面に凹凸が形成され、滑り止めの効果を発揮することができる。係る場合、水平管部と、垂直管部又は傾斜された部分では帯状の銅板の貼設する方向を変えることにより、手摺を握る者がその手に加える力に略直交する方向に前記凹凸の縁を形成することができ、より高い滑り止めの効果を発揮させることができる。また、抗菌性能が悪化しない範囲において銅板の面積を縮小させることができるため、コストに優れた二重抗菌手摺とすることもできる。
【００３４】
また、ステンレス鋼は、ＳＵＳ３０４等の通常のステンレス鋼に加え、銅や銀等の抗菌作用が強い金属を含有させたものも採用でき、係る場合、さらなる抗菌作用が期待できる。
【００３５】
なお、上述した二重抗菌手摺は、本考案の例示であり、考案の趣旨を逸脱しない範囲において、その構成を適宜変更できる。
【符号の説明】
【００３６】
１，２・・二重抗菌手摺、
１０・・手摺本体部、１１・・水平管部、１２・・垂直管部、１３・・曲管部、１４・・芯材、１５，１６，１７，１８，１９・・表材
３０・・脚部、３１，３２・・立上げ部、３３・・鍔部、３４・・カバー、
【図１】
0003189772.tif 000003
【図２】
0003189772.tif 000004
【図３】
0003189772.tif 000005
【図４】
0003189772.tif 000006